(57)【要約】      （修正有）【課題】自動車用サイドバイザーを発光させない昼間には、光源が目に付かず、視界の妨げにもならず、夜間、光源に通電したときには、透明な庇板部のエッジを光で縁取らせるように発光させることができ、しかも、車外側へは強い光で発光させるが、車内側への強い光の流出を抑制して、運転の妨げにならないようにした自動車用サイドバイザーを提供する。【解決手段】透明な庇板部２と、その幅方向一辺に連設された取付け用フランジ部３とを備えたバイザー本体１における庇板部２のフランジ部３側端縁に、フランジ部３の長手方向に沿った溝５を形成し、溝５の内部に光源４を線状に配置する。光源４に通電して発光させることにより、その光が庇板部２の肉厚内を透過して庇板部２のフランジ部３とは反対側の端縁から外部に照射される。【選択図】図２
0003186746.tif 000002
【実用新案登録請求の範囲】
【請求項１】
透明な庇板部と、その幅方向一辺に連設された取付け用フランジ部とを備えたバイザー
本体における前記庇板部のフランジ部側端縁に、フランジ部の長手方向に沿った溝を形成
し、溝の内部に光源を線状に配置し、光源に通電して発光させることにより、その光が庇
板部の肉厚内を透過して庇板部のフランジ部とは反対側の端縁から外部に照射されるよう
に構成したことを特徴とする自動車用サイドバイザー。
【請求項２】
フランジ部の長手方向に沿った溝が前記庇板部の裏面におけるフランジ部側端縁に形成
されていることを特徴とする請求項１に記載の自動車用サイドバイザー。
【請求項３】
庇板部のフランジ部とは反対側の端縁を外側程低くなるように外側へ鈍角状に湾曲させ
且つ端縁の湾曲した下面にシボ加工を施し、庇板部の肉厚内を透過する光が湾曲した下面
で乱反射することにより、内側への光の流出を抑制するように構成したことを特徴とする
請求項１又は２に記載の自動車用サイドバイザー。
【請求項４】
庇板部のフランジ部とは反対側の端縁を内側程低くなるように内側へ鈍角状に湾曲させ
且つ端縁の湾曲した上面にシボ加工を施し、庇板部の肉厚内を透過する光が湾曲した上面
で乱反射することにより、内側への光の流出を抑制するように構成したことを特徴とする
請求項１又は２に記載の自動車用サイドバイザー。
【請求項５】
庇板部のフランジ部とは反対側の端縁を内側へ直角状に湾曲させ且つ端縁の内側端面に
シボ加工を施し、庇板部の肉厚内を透過する光が湾曲した内側端面で乱反射することによ
り、内側への光の流出を抑制するように構成したことを特徴とする請求項１又は２に記載
の自動車用サイドバイザー。
【請求項６】
請求項１〜５の何れかに記載の自動車用サイドバイザーであって、庇板部の裏面に凹入
した模様を形成し、当該模様における凹部の底面と、凹部間に位置する凸部上面とを平滑
に形成し、凹部の側面にシボ加工を施し、庇板部の肉厚内を透過する光の一部を凹部の側
面で乱反射させようにしてあることを特徴とする自動車用サイドバイザー。
【請求項７】
請求項１〜５の何れかに記載の自動車用サイドバイザーであって、庇板部の裏面に凹入
した模様を形成し、当該模様における凹部の底面にシボ加工を施し、凹部の側面と凹部間
に位置する凸部上面とを平滑に形成し、庇板部の肉厚内を透過する光の一部を凹部の底面
で乱反射させようにしてあることを特徴とする自動車用サイドバイザー。
【請求項８】
請求項１〜５の何れかに記載の自動車用サイドバイザーであって、庇板部の裏面に突出
した模様を形成し、当該模様における凸部の上面と凸部間に位置する凹部の底面とを平滑
に形成し、凸部の側面にシボ加工を施し、庇板部の肉厚内を透過する光の一部を凸部の側
面で乱反射させるようにしてあることを特徴とする自動車用サイドバイザー。
【請求項９】
請求項１〜５の何れかに記載の自動車用サイドバイザーであって、庇板部の裏面に突出
した模様を形成し、当該模様における凸部の上面にシボ加工を施し、凸部の側面と凸部間
に位置する凹部の底面とを平滑に形成し、庇板部の肉厚内を透過する光の一部を凸部の上
面で乱反射させるようにしてあることを特徴とする自動車用サイドバイザー。
【考案の詳細な説明】
【技術分野】
【０００１】
本考案は、例えば、自動車の側窓に沿ったルーフ部分に取り付ける所謂ルーフバイザー
や側窓の窓枠に取り付ける所謂ドアバイザー等の自動車用サイドバイザーに関する。
【背景技術】
【０００２】
通電により発光する自動車用サイドバイザーは、例えば、特許文献１〜３等によって知
られている。しかし、これらは何れも透明な庇板部の裏面側にＬＥＤ等の光源を配置し、
その光が庇板部を肉厚方向に透過して庇板部の表面や後端面から外部に照射されるように
構成されていた。そのため、光源を覆う庇板部の一部に文字、文様を刻設する等して乱反
射させるようにしないと光源が目に付いて不体裁である。また、光源が目に付かないよう
に、透明な庇板部のうち、光源を覆う部分を摺りガラス状の乱反射面に形成すると、その
部分が視界の妨げになるという問題点があった。
【先行技術文献】
【特許文献】
【０００３】
【特許文献１】特開２００５−２８０５９４号公報
【特許文献２】特開２００２−２４０５５１号公報
【特許文献２】特開２００１−２０６０６０号公報
【考案の概要】
【考案が解決しようとする課題】
【０００４】
本考案は、上述した問題点を踏まえてなされたものであって、その目的とするところは
、自動車用サイドバイザーを発光させない昼間には、光源が目に付かず、視界の妨げにも
ならず、それでいて、夜間、光源に通電したときには、透明な庇板部のエッジを光で縁取
らせるように発光させることができ、しかも、車外側へは強い光で発光させるが、車内側
への強い光の流出を抑制して、運転の妨げにならないようにした自動車用サイドバイザー
を提供することにある。
【課題を解決するための手段】
【０００５】
上記の課題を解決するために、本考案が講じた技術手段は次の通りである。即ち、請求
項１の考案に係る自動車用サイドバイザーは、透明な庇板部と、その幅方向一辺に連設さ
れた取付け用フランジ部とを備えたバイザー本体における前記庇板部のフランジ部側端縁
に、フランジ部の長手方向に沿った溝を形成し、溝の内部に光源を線状に配置し、光源に
通電して発光させることにより、その光が庇板部の肉厚内を透過して庇板部のフランジ部
とは反対側の端縁から外部に照射されるように構成したことを特徴としている。
【０００６】
尚、フランジ部の長手方向に沿った溝は、前記庇板部の表面におけるフランジ部側端縁
に形成してもよいが、請求項２の考案に係る自動車用サイドバイザーのように、フランジ
部の長手方向に沿った溝を、前記庇板部の裏面におけるフランジ部側端縁に形成すること
が、後述する理由により好ましい。
【０００７】
請求項３に記載の考案は、請求項１又は２に記載の自動車用サイドバイザーにおいて、
庇板部のフランジ部とは反対側の端縁を外側程低くなるように外側へ鈍角状に湾曲させ且
つ端縁の湾曲した下面にシボ加工を施し、庇板部の肉厚内を透過する光が湾曲した下面で
乱反射することにより、内側への光の流出を抑制するように構成したことを特徴としてい
る。
【０００８】
請求項４に記載の考案は、請求項１又は２に記載の自動車用サイドバイザーにおいて、
庇板部のフランジ部とは反対側の端縁を内側程低くなるように内側へ鈍角状に湾曲させ且
つ端縁の湾曲した上面にシボ加工を施し、庇板部の肉厚内を透過する光が湾曲した上面で
乱反射することにより、内側への光の流出を抑制するように構成したことを特徴としてい
る。
【０００９】
請求項５に記載の考案は、請求項１又は２に記載の自動車用サイドバイザーにおいて、
庇板部のフランジ部とは反対側の端縁を内側へ直角状に湾曲させ且つ端縁の内側端面にシ
ボ加工を施し、庇板部の肉厚内を透過する光が湾曲した内側端面で乱反射することにより
、内側への光の流出を抑制するように構成したことを特徴としている。
【００１０】
請求項６に記載の考案は、請求項１〜５の何れかに記載の自動車用サイドバイザーであ
って、庇板部の裏面に凹入した模様を形成し、当該模様における凹部の底面にシボ加工を
施し、凹部の側面と凹部間に位置する凸部上面とを平滑に形成し、庇板部の肉厚内を透過
する光の一部を凹部の底面で乱反射させようにしてあることを特徴としている。
【００１１】
請求項７に記載の考案は、請求項１〜５の何れかに記載の自動車用サイドバイザーであ
って、庇板部の裏面に凹入した模様を形成し、当該模様における凹部の底面にシボ加工を
施し、凹部の側面と凹部間に位置する凸部上面とを平滑に形成し、庇板部の肉厚内を透過
する光の一部を凹部の底面で乱反射させようにしてあることを特徴としている。
【００１２】
請求項８に記載の考案は、請求項１〜５の何れかに記載の自動車用サイドバイザーであ
って、庇板部の裏面に突出した模様を形成し、当該模様における凸部の上面と凸部間に位
置する凹部の底面とを平滑に形成し、凸部の側面にシボ加工を施し、庇板部の肉厚内を透
過する光の一部を凸部の側面で乱反射させるようにしてあることを特徴としている。
【００１３】
請求項９に記載の考案は、請求項１〜５の何れかに記載の自動車用サイドバイザーであ
って、庇板部の裏面に突出した模様を形成し、当該模様における凸部の上面にシボ加工を
施し、凸部の側面と凸部間に位置する凹部の底面とを平滑に形成し、庇板部の肉厚内を透
過する光の一部を凸部の上面で乱反射させるようにしてあることを特徴としている。
【考案の効果】
【００１４】
請求項１に記載の考案の構成によれば、光源を庇板部のフランジ部側端縁に沿って線状
に配置したので、光源が目に付かず、視界の妨げにもならず、それでいて、夜間、光源に
通電したときには、ブラッグの法則により透明な庇板部のエッジが光ることになる。つま
り、光が庇板部の表面と裏面で反射されつつ庇板部の肉厚内を進行透過して、庇板部のフ
ランジ部とは反対側の端縁から外部に照射されることになり、庇板部のエッジが光で縁取
られるように発光することになる。
【００１５】
請求項２に記載の考案の構成によれば、フランジ部の長手方向に沿った溝（光源を線状
に配置する溝）が、前記庇板部の裏面におけるフランジ部側端縁に形成されているので、
庇板部が光源の雨よけの機能を果たすことになり、光源への防水対策が容易である。
【００１６】
請求項３に記載の考案の構成によれば、庇板部のフランジ部とは反対側の端縁を外側程
低くなるように外側へ鈍角状に湾曲させ且つ端縁の湾曲した下面にシボ加工を施し、庇板
部の肉厚内を透過する光が湾曲した下面で乱反射することにより、内側への光の流出を抑
制するように構成したので、車外側へは強い光で発光させるが、車内側への強い光の流出
が抑制されることになり、庇板部エッジの光が運転の妨げにならない。
【００１７】
請求項４に記載の考案の構成によれば、庇板部のフランジ部とは反対側の端縁を内側程
低くなるように内側へ鈍角状に湾曲させ且つ端縁の湾曲した上面にシボ加工を施し、庇板
部の肉厚内を透過する光が湾曲した上面で乱反射することにより、内側への光の流出を抑
制するように構成したので、車外側へは強い光で発光させるが、車内側への強い光の流出
が抑制されることになり、庇板部エッジの光が運転の妨げにならない。
【００１８】
請求項５に記載の考案の構成によれば、庇板部のフランジ部とは反対側の端縁を内側へ
直角状に湾曲させ且つ端縁の内側端面にシボ加工を施し、庇板部の肉厚内を透過する光が
湾曲した内側端面で乱反射することにより、内側への光の流出を抑制するように構成した
ので、車外側へは強い光で発光させるが、車内側への強い光の流出が抑制されることにな
り、庇板部エッジの光が運転の妨げにならない。
【００１９】
請求項６〜９に記載の考案の構成によれば、庇板部の肉厚内を透過する光の一部を、庇
板部の裏面に形成した模様のシボ加工された面で乱反射させようにしてあるので、庇板部
の肉厚内を透過する光が庇板部のフランジ部とは反対側の端縁から外部に照射されて、庇
板部のエッジが光で縁取られるように発光すると同時に、庇板部の肉厚内を透過する光の
一部が模様のシボ加工された面で乱反射することによって、庇板部の表面に模様が光り輝
くことになり、一層、装飾的効果が発揮されることになる。
【図面の簡単な説明】
【００２０】
【図１】本考案に係る自動車用サイドバイザーの斜視図である。
【図２】図１のＡ−Ａ断面拡大図である。
【図３】自動車用サイドバイザーの要部の断面図である。
【図４】他の実施形態を示す自動車用サイドバイザーの要部の断面図である。
【図５】他の実施形態を示す自動車用サイドバイザーの要部の断面図である。
【図６】模様の一例を示す自動車用サイドバイザーの要部の断面図であるある。
【図７】他の実施形態を示す自動車用サイドバイザーの要部の断面拡大図である。
【考案を実施するための形態】
【００２１】
図１〜図３は、本考案に係る自動車用サイドバイザーの一例を示す。１は、アクリルや
ポリカーボネイト等の透明な合成樹脂で成形されたバイザー本体であり、透明な庇板部２
と、その幅方向一辺に連設された取付け用フランジ部３とを備えている。４は、前記庇板
部２のフランジ部３側端縁に沿って線状に配置した光源である。光源４としては、ＥＬ（
エレクトロルミネッセンス）ファイバーが使用されているが、多数のＬＥＤを線状に連続
させて使用してもよい。庇板部２とフランジ部３の間には、図２に示すように、庇板部２
の表面側に溝５が形成され、光源４はこの溝５内に配置されている。
【００２２】
６はフランジ部３の表面側に取り付けたモールであり、不透明な弾性材料（例えば、ゴ
ム、軟質合成樹脂）で作製されており、光源４と溝５の外側を覆っている。７はフランジ
部３の裏面側とその近傍の庇板部２裏面に印刷された不透明な塗膜であり、この塗膜７と
前記モール６とによって、光源４の光が車外側や車内側へ漏れるのを防止する遮光部材を
構成している。光源４自体に光の漏れを防止する不透明なカバーが設けられている場合に
は、塗膜７は不要である。
【００２３】
庇板部２のフランジ部３とは反対側の端縁は、外側程低くなるように外側へ鈍角状に湾
曲させてあり、図３に示すように、端縁の湾曲した下面にシボ加工Ｓを施すことにより、
庇板部２の肉厚内を透過する光が湾曲した下面（シボ加工Ｓされた面）で乱反射すること
により、内側への光の流出を抑制するように構成してある。
【００２４】
図１〜図３に示した実施形態においては、庇板部２の裏面に凹入した模様８を形成し、
当該模様８における凹部の底面にシボ加工Ｓを施し、凹部の側面と凹部間に位置する凸部
上面とを平滑に形成し、庇板部２の肉厚内を透過する光の一部を凹部の底面（シボ加工Ｓ
された面）で乱反射させようにしてある。
【００２５】
尚、光源４に通電するための電源としては、電池でもよく、自動車のドアに装備された
各種電装品の場合と同様に、ワイヤーハーネスとコネクタを介して自動車本体側に装備さ
れた電源（バッテリ）と電気的に接続するようにしてもよく、あるいは、電磁誘導方式に
よる非接触電力伝送を用いてもよい。
【００２６】
上記の構成によれば、光源４を庇板部２のフランジ部３側端縁に沿って線状に配置した
ので、光源４が目に付かず、視界の妨げにもならず、それでいて、夜間、光源４に通電し
たときには、ブラッグの法則により透明な庇板部２のエッジが光ることになる。つまり、
光が庇板部２の表面と裏面で交互に反射されつつ庇板部２の肉厚内を進行透過して、庇板
部２のフランジ部３とは反対側の端縁から外部に照射されることになり、庇板部２のエッ
ジが光で縁取られるように発光することになる。
【００２７】
殊に、上記の構成によれば、庇板部２のフランジ部３は反対側の端縁を外側程低くなる
ように外側へ鈍角状に湾曲させ且つ端縁の湾曲した下面にシボ加工Ｓを施し、図３に示す
ように、庇板部２の肉厚内を透過する光ａが湾曲した下面（シボ加工Ｓされた面）で乱反
射することにより、内側への光の流出を抑制するように構成したので、車外側へは強い光
で発光させるが、シボ加工Ｓされた面での乱反射により、車内側への強い光の流出が抑制
されることになり、庇板部２エッジの光が運転の妨げにならない。
【００２８】
また、庇板部２の裏面に凹入した模様８を形成し、当該模様８における凹部の底面にシ
ボ加工Ｓを施し、凹部の側面と凹部間に位置する凸部上面とを平滑に形成し、庇板部２の
肉厚内を透過する光の一部を凹部の底面（シボ加工Ｓされた面）で乱反射させようにして
あるので、庇板部２の肉厚内を透過する光ａが庇板部２のフランジ部３とは反対側の端縁
から外部に照射されて、庇板部２のエッジが光で縁取られるように発光すると同時に、庇
板部２の肉厚内を透過する光の一部が模様のシボ加工Ｓされた凹部底面で乱反射すること
によって、庇板部２の表面に模様８が光り輝くことになり、一層、装飾的効果が発揮され
ることになる。
【００２９】
図４は、本考案の他の実施形態を示す。この実施形態は、庇板部２のフランジ部３とは
反対側の端縁を内側程低くなるように内側へ鈍角状に湾曲させ且つ端縁の湾曲した上面に
シボ加工Ｓを施し、庇板部２の肉厚内を透過する光ａが湾曲した上面（シボ加工Ｓされた
面）で乱反射することにより、内側への光の流出を抑制するように構成した点に特徴があ
る。その他の構成および作用は、図１〜図３の実施形態と同じであるから、説明を省略す
る。
【００３０】
図５は、本考案の他の実施形態を示す。この実施形態は、庇板部２のフランジ部３とは
反対側の端縁を内側へ直角状に湾曲させ且つ端縁の内側端面にシボ加工Ｓを施し、庇板部
２の肉厚内を透過する光ａが湾曲した内側端面（シボ加工Ｓされた面）で乱反射すること
により、内側への光の流出を抑制するように構成した点に特徴がある。その他の構成およ
び作用は、図１〜図３の実施形態と同じであるから、説明を省略する。
【００３１】
図６の（Ａ）、（Ｂ）、（Ｃ）は、庇板部２の肉厚内を透過する光の一部を乱反射させ
る模様８の一例を示す。図６の（Ａ）に示した実施形態は、庇板部２の裏面に凹入した模
様８を形成し、当該模様８における凹部の底面にシボ加工Ｓを施し、凹部の側面と凹部間
に位置する凸部上面とを平滑に形成し、庇板部２の肉厚内を透過する光の一部を凹部の底
面（シボ加工Ｓされた面）で乱反射させように構成した点に特徴がある。その他の構成お
よび作用は、図１〜図５の実施形態と同じであるから、説明を省略する。
【００３２】
図６の（Ｂ）に示した実施形態は、庇板部２の裏面に突出した模様８を形成し、当該模
様８における凸部の上面と凸部間に位置する凹部の底面とを平滑に形成し、凸部の側面に
シボ加工Ｓを施し、庇板部２の肉厚内を透過する光の一部を凸部の側面（シボ加工Ｓされ
た面）で乱反射させるように構成した点に特徴がある。その他の構成および作用は、図１
〜図５の実施形態と同じであるから、説明を省略する。
【００３３】
図６の（Ｃ）に示した実施形態は、庇板部２の裏面に突出した模様８を形成し、当該模
様８における凸部の上面にシボ加工Ｓを施し、凸部の側面と凸部間に位置する凹部の底面
とを平滑に形成し、庇板部２の肉厚内を透過する光の一部を凸部の上面（シボ加工Ｓされ
た面）で乱反射させるように構成した点に特徴がある。その他の構成および作用は、図１
〜図５の実施形態と同じであるから、説明を省略する。
【００３４】
図６の（Ａ）、（Ｂ）、（Ｃ）に示した構成によれば、庇板部２の肉厚内を透過する光
が庇板部２のフランジ部３とは反対側の端縁から外部に照射されて、庇板部２のエッジが
光で縁取られるように発光すると同時に、庇板部２の肉厚内を透過する光の一部が模様８
のシボ加工Ｓされた面で乱反射することによって、庇板部２の表面に模様８が光り輝くこ
とになり、一層、装飾的効果が発揮される。
【００３５】
図７は、本考案の他の実施形態を示す。この実施形態は、フランジ部３の長手方向に沿
った溝（光源４を線状に配置する溝）５を、庇板部２の裏面におけるフランジ部３側端縁
に形成した点に特徴がある。光源４には光の漏れを防止する不透明なカバー９が設けられ
ており、カバー９には、庇板部２の肉厚内に向けて開口する窓１０が形成されている。光
源４は、カバー９内に線状に配置され、図示のように、カバー９ごと溝５に嵌め込まれて
接着等の手段により固定される。１１はフランジ部３を自動車の窓枠に取り付けるための
両面接着テープを示す。フランジ部３の表面側に取り付けたモール６の色彩は、自動車の
窓枠と同色とすることが望ましい。
【００３６】
上記の構成によれば、フランジ部３の長手方向に沿った溝（光源を線状に配置する溝）
５が、前記庇板部２の裏面におけるフランジ部３側端縁に形成されているので、庇板部２
が光源４の雨よけの機能を果たすことになり、光源４への防水対策が容易である。その他
の構成および作用は、図１〜図６の実施形態と同じであるから、説明を省略する。
【符号の説明】
【００３７】
１  バイザー本体
２  庇板部
３  フランジ部
４  光源
５  溝
６  モール
７  塗膜
８  模様
９  カバー
１０  窓
１１  両面接着テープ
Ｓ  シボ加工
ａ  光
【図１】
0003186746.tif 000003
【図２】
0003186746.tif 000004
【図３】
0003186746.tif 000005
【図４】
0003186746.tif 000006
【図５】
0003186746.tif 000007
【図６】
0003186746.tif 000008
【図７】
0003186746.tif 000009